(57)【特許請求の範囲】
【請求項１】
４枚以上の偶数枚の同幅パネル（10ａ、10ｂ、10ｃ、10ｄ）を蝶番（18、20）によって折りたたみ可能に連結し、先頭から奇数番目のパネル（10ａ、10ｃ）の先頭側上端面に設けたランナー（12）と末尾パネル（10ｄ）の末尾側上端面に設けたスライダ（11）によってハンガーレール（30）に水平回動自在に、かつハンガーレール長手方向移動可能に吊り、前記ハンガーレールに設けたスライダストッパ（39）によって前記末尾パネルのハンガーレール長手方向移動範囲を制限した折りたたみパネル装置であって、前記ハンガーレールのレール溝を上下２段に形成し、末尾から３番目より先頭側のパネルにおいて、奇数番目のパネル（10ａ）と偶数番目のパネル（10ｂ）を連結する上蝶番（18）に、上方に突出してハンガーレール（30）の下段レール溝（42）にははまるが上段レール溝（32）には達しないガイドピン（40）を設け、パネルが末尾側から順次折りたたまれるときに、前記ガイドピンが前記下段レール溝から抜けるための開口（43）を前記ハンガーレールに設けたことを特徴としてなる折りたたみパネル装置。
【請求項２】
末尾パネル（10ｄ）の上下端面に突起（57、58）を設け、前記突起が当接すると前記末尾パネルを折りたたむように回動させる傾斜案内面を有するガイド（56、59）をハンガーレール（30）及び前記末尾パネルの下ピン（35）を受けるピボット（36）に設けたことを特徴としてなる請求項１記載の折りたたみパネル装置。
【請求項３】
すべてのパネルを折りたたんだときに、先頭から３番目のパネル（10ｃ）の上端面に設けたランナー（12）のパネル展開方向への移動に対して所定の抵抗を付与するランナーストッパ（41）をハンガーレール（30）に設けたことを特徴としてなる請求項１記載の折りたたみパネル装置。
【発明の詳細な説明】
【０００１】
【産業上の利用分野】
本発明は４枚以上の偶数枚数の同幅パネルからなる折りたたみパネル装置の改良に関するものである。
【０００２】
【従来の技術】
本願の出願人は先に偶数枚の同幅パネルからなる折りたたみパネル装置を提案（特願平５−１４０３４８号）した。その提案装置は、偶数枚の同幅パネルを長蝶番によって相互に折りたたみ回転可能に連結し、先頭パネルと、それから一枚おきの中間パネルをランナーによって、末尾パネルをスライダによってそれぞれハンガーレールに回動可能かつレール長手方向移動可能に吊ったものであり、各ランナーはそれぞれのパネルの上端面の先頭側端部に、スライダは末尾パネルの上端面の末尾側端部にそれぞれ装着し、ハンガーレールに装着したストッパによってスライダの移動範囲を規制していた。
【０００３】
【発明が解決しようとする課題】
折りたたみ装置は先頭パネルを操作して開閉するが、各パネルの動作は一様ではなかった。例えば、折りたたむときに、パネルは先頭側から折れたり、又は末尾側から折れたり、もしくは一斉に折れたりしていた。そこで、開閉するときのパネルの動作が一定になる折りたたみパネル装置が要望されていた。
【０００４】
本発明はその要望に応えるためのものであり、その目的とするところは、装置を折りたたむときは、必ず末尾側のパネルから折れるか、又は装置を展開するときは、必ず先頭側のパネルから展開するか、もしくはその双方である折りたたみパネル装置を提供することにある。
【０００５】
【課題を解決するための手段】
前記目的を達成するため、本発明が採用する手段は、末尾側から３番目から先の奇数番目と偶数番目のパネルを連結する蝶番の中央に上方に突出するガイドピンを植設し、そのガイドピンをハンガーレール溝に摺動自在にはめ、末尾側パネルから折りたたむときに、ガイドピンとハンガーレールの交差するレール溝の部分に開口を設けたこと、及び、又は、折りたたんだパネルを展開するときに、先頭側から３枚目のパネルのランナーに摩擦係合するランナーストッパをハンガーレールに設けたことにある。
【０００６】
【作用】
折たたみパネル装置によって間仕切りを閉じたとき、末尾側から３番目より先の奇数番目と偶数番目のパネルを連結する蝶番中央から上方へ突出するガイドピンがハンガーレールのレール溝にはまるから、間仕切りを開く方向にパネルを操作すると、末尾側から３番目より先のパネルはそれらを連結する蝶番がレール溝内に位置し、折たたむことはできないが、末尾パネルとその次のパネルの間の蝶番にはガイドピンを植設していないから、直ちに折たたまれる。すると、末尾側から３番目と４番目のパネルの間のガイドピンはハンガーレールの開口の位置にくるから、ガイドピンはレール溝から抜け、末尾側から３番目と４番目のパネルが折たたまれる。同様にして順次パネルが折たたまれるから、展開したパネルは常に末尾側から順次折りたたまれる。
【０００７】
折たたまれたパネル装置を引き出して間仕切りを閉じるとき、ハンガーレール内に先頭から３枚目の中間パネルの側端部上面に設けたランナーと摩擦係合するランナーストッパを設けたから、先頭パネルを引いたとき、３枚目のパネルのランナーがパネルストッパの抵抗を受け、３枚目以後のパネルを直ちに引き出すことはできない。したがって、先頭及び２枚目のパネルが始めに引き出される。ついで、少し強くに引くと、３枚目のパネルのランナーがランナーストッパの規制から外れて引き出され、新たに次の５枚目の中間パネルがパネルストッパの規制を受ける。このようにして折たたんだパネルは常に先頭側から順次展開する。
【０００８】
【実施例】
本発明の装置を図面に示す実施例に基づいて説明する。
図１に示すように、４枚のパネルをパネル幅方向側面全長にわたって装着した長蝶番２０によって連結し、先頭パネル１０ａ及びそれから末尾側へ一枚おいた中間パネル１０ｃに取り付けたランナー１２と末尾パネル１０ｄに取り付けたスライダ１１によってハンガーレール３０に吊り下げる。先頭パネル１０ａの先頭側端面及び末尾パネル１０ｄの末尾側端面には全長にわたってクッション２９を装着する。各パネル１０はそれぞれの長蝶番２０の軸部と一体の縦枠２１と、幅方向両側の縦枠２１を連結する横枠１３と、上下の横枠１３の間に挿入したスペーサ１４とから構成する。ランナー１２はパネル１０ａ、１０ｄの幅方向の先頭側端部上面に、スライダ１１は末尾パネル１０ｄの幅方向末尾側端部上面にそれぞれ位置する。長蝶番２０の上端面に上蝶番１８を取り付け、その上蝶番を介して隣接するパネルの縦枠２１、２１の上端部を連結する。パネル１０の上面先頭側端部に金具１５を固定し、その金具に上ピン１９を取り付ける。上ピン１９にランナー１２を水平回動可能に取り付け、ランナー１２の車輪をハンガーレール３０のレール面３１上にのせて走行させる。
【０００９】
末尾パネル１０ｄの上面末尾側端部に金具１５を固定し、その金具にも上ピン１９を取り付け、その上ピンにスライダ１１を回動可能に外嵌し、そのスライダをハンガーレール３０のレール面３１に摺動可能にのせる。ハンガーレール３０にスライダ１１に当接するスライダストッパ３９を固定し、末尾パネル１０ｄの先頭側への移動範囲を制限する。末尾パネル１０ｄの上端面末端に上突起５７を固定し、その上突起と係合する上ガイドをハンガーレール３０の末端に固定する。
【００１０】
末尾パネル１０ｄの下面末尾側端部に下ピン３５を取り付け、その下ピン３５を床上に固定したピボット３６の長溝３７にはめる。ピボット３６の末端に下ガイド５９を形成し、その下ガイドに係合する下突起５８を末尾パネル１０ｄの下面末端に固定する。装置を伸長したとき、下ピン３５は長溝３７の先頭側端部に位置する。装置を折たたんで壁面に寄せたとき、下ピン３５は長溝３７の末尾側端部に位置する。パネル１０ｄの上面に装着した上ピン１９はスライダ１１と共にハンガーレール３０のレール面３１を末尾側へ摺動する。装置を伸長したとき、スライダ１１とランナー１２は図１に示す位置にあり、先頭パネル１０ａと末尾パネル１０ｄのクッション２９は開口両側の壁面に接する。装置を折たたんだとき、スライダ１１とランナー１２は図３に示す位置にあり、末尾パネル１０ｄの片面は壁面に近接する。
【００１１】
実施例はパネルを４枚としたが、６枚以上の偶数にすることも可能である。先頭パネル１０ａ及び中間パネル１０ｃは上面先頭側端部に装着したランナー１２によってハンガーレール３０に吊るしたから、常に安定して回動しかつ移動する。末尾パネル１０ｄは上下面末尾端部に装着した上下ピン１９、３５をスライダ１１、及びピボット３６にはめたから、常に安定して回土言うし、かつピボット３６の長孔３７の範囲において移動する。したがって、装置は常に円滑に開閉し、末尾パネル１０ｄと壁面の間に空隙が生ずることを防止することができる。
【００１２】
先頭パネル１０ａと次のパネル１０ｂを連結する上蝶番１８の中央にガイドピン４０を取り付ける。ガイドピン４０はガイドレール３０の下段レール溝４２に入るが、上段レール溝３２には入らない。ガイドピン４０がハンガーレール３０の下段レール溝４２内に位置するとき、先頭パネル１０ａの幅方向はハンガーレール３０の長手方向と同一になる。ハンガーレール３０内のスライダストッパ３９より少し先頭側へ離れた位置にランナーストッパ４１を取り付ける。ハンガーレール３０の底は図５に示すように二重であり、上下２段のレール溝３２、４２を有する。
【００１３】
図２に示すように、パネル１０を連結する長蝶番２０は両側に中空円弧柱状の軸受部２３、２３´を備えた中間体２４と、その軸受部２３、２３´に回動可能に軸受けした円筒状の軸部２５、２５´とから構成する。縦枠２１、２１´の横枠１３、１３´側の端面に凹溝２６、２６´を設け、横枠１３、１３´の端面にジョイント１７、１７´を固定する。そのジョイント１７、１７´の凸部１６、１６´を縦枠２１、２１´の上面から凹溝２６、２６´に挿入して縦枠２１、２１´と横枠１３、１３´を結合する。長蝶番２０の軸部２５、２５´はパネル１０の縦枠２１、２１´と一体であるから、両側のパネルはそれぞれの軸部２５、２５´を中心に矢印で示すように、回動してパネルを折たたむ。
【００１４】
図３に示すように、装置を折りたたむとき、ガイドピン４０は下段レール溝４２の正面開口４３から矢印で示すように、ハンガーレール３０の正面へ出てくる。又、中間パネル１０ｃに取り付けたランナー１２はランナーストッパ４１を通過して末尾側の位置にくるが、先頭パネル１０ａに取り付けたランナー１２はランナーストッパ４１の先頭側にとどまる。
【００１５】
図４及び図５に示すように、ランナーストパ４１はスライダストッパ３９と共に止めねじ４６を介してハンガーレール３０に固定される。ランナーストッパ４１は上下に移動可能な箱状のシュー４５と、そのシューを下方に押すばね４４を備える。シュー４５の底面は末尾側斜面が急傾斜し、先頭側斜面が緩傾斜する片寄ったＶ字形断面である。したがって、ランナー１２がランナーストッパ４１を先頭側から末尾側へ通るときは、緩傾斜面のため、ばねに抗してシュー４５を持ち上げることは容易であり、パネルを操作する力が弱くても、ランナー１２は簡単にランナーストッパ４１を先頭側から末尾側へ通り抜けることができる。しかし、ランナー１２がシュー４５を末尾側から先頭側へ通るときは、急傾斜面のため、パネルを強い力で先頭側へ牽引しないと、ランナー１２はランナーストッパ４１を末尾側から先頭側へ通ることはできない。
【００１６】
図６及び図７に示すように、先頭パネル１０ａと次の中間パネル１０ｂを連結する上蝶番１８の中央孔５０にガイドピンケース４７を装着する。ガイドピンケース４７の下部は円筒状であり、長蝶番３０の中間体２４の内部に延長する。ガイドピンケース４７にコイルばね４８を内装し、そのコイルばね４８にガイドピン４０の軸５２を通す。ガイドピンケース４７の底を貫通するガイドピン軸部５２の下端部にスナップリング４９を取り付ける。コイルばね４８はガイドピン４０の頭部５３の下面とガイドピンケース４７の内底面の間に介在してガイドピン４０を持ち上げるが、その上限位置はスナップリング４９とガイドピンケース４７の底によって規制される。
【００１７】
図８及び図９に示すように、ハンガーレール３０の末尾側端部に案内斜面を備えた上ガイド５６を固定し、そのガイドの垂直案内斜面に当接可能な上突起５７を備えたプレート５５を末尾パネル１０ｄの縦枠２１の上端面に固定する。上ガイド５６の垂直案内斜面はハンガーレール３０の前後の中心より後方末尾側へ４５度の傾斜で開くから、パネル１０ｄを末尾側へ寄せて上突起５７をガイド５６に当接させると、パネル１０ｄは上ピン１９を中心に先頭側が前方へ出るように回転する。
【００１８】
図１０及び図１１（ａ）に示すように、ピボット３６の長溝３７にはまる末尾パネル１０ｄの下ピン３５は固定金具３４に固定され、固定金具３４は末尾側の縦枠２１の下端面に沿って延長する。その固定金具３４の末尾側端部の前後中心よりも後方に寄った位置からピン状の下突起５８を垂下させ、そのした突起５８と係合する下ガイド５９をピボット３６に固定する。下ガイド５９は垂直案内斜面を備え、その垂直案内斜面はピボット３６の前後中心から４５度の傾斜で前後両方向に開く山形である。図１１（ｂ）に示すように、末尾パネル１０ｄを末尾側に寄せると、上ピンと同軸の下ピン３５はピボット３６の長溝３７に沿って末尾側に移動し、ついで、下突起５８が下ガイド５９の後方に開く垂直案内斜面に当接し、それによって、末尾パネル１０ｄは下ピン３５を中心に先頭側が前方へ出るように回転する。
【００１９】
次に本発明の装置の動作について説明する。
図１に示す閉じた装置を開くため、先頭パネル１０ａを末尾側へ引くと、末尾側のクッション２９が縮み、パネル全体が末尾側へ寄る。このとき、末尾パネル１０での上下端面に設けた上突起５７及び下突起５８が、ハンガーレール３０及びピボット３６に設けたガイド５６及び５９の垂直案内斜面に当接し、末尾パネル１０ｄは同軸の上ピン１９と下ピン３５を中心に先頭側が正面に出るように回動するから、それと連結する中間パネル１０ｃは先頭側端部に設けた上ピン１９を中心に末尾側が正面に出るように回転する。したがって、末尾パネル１０ｄと中間パネル１０ｃは折りたたまれる。これに対し、先頭パネル１０ａは先頭側端部の上ピンと、次の中間パネル１０ｂとを連結する上蝶番１８から突出するガイドピン４０がハンガーレール３０のレール溝内にあり、ほとんど回転することはできないから、先頭パネル１０ａと次の中間パネル１０ｂは展開したまま図３に鎖線で示すように末尾側へ移動する。ガイドピン４０がハンガーレール３０の下段レール溝４２の開口４３に到着すると、矢印で示すように、その開口からガイドピン４０はハンガーレール３０の正面外方へ押し出されるから、先頭パネル１０ａと次の中間パネル１０ｂを折りたたむことができる。さらに、折りたたんだパネル全体をさらに末尾側に押すと、末尾パネル１０ｄの上端面に設けたスライダ１１はハンガーレール３０の末尾側内端面に当接し、次の中間パネル１０ｃの上端面に設けたランナー１２はランナーストッパ４１を超えてその末尾側にくる。ランナーストッパ４１の下方には折りたたんだ中間パネル１０ｂが位置し、先頭パネル１０ａの上端面に設けたランナー１２はランナーストッパ４１を越えずにその手前で停止する。このように、パネルを展開した装置は必ず末尾側のパネルから折りたたまれ最後に先頭パネルが折りたたまれる。
【００２０】
図３に示す開いた装置を閉じるために、先頭パネル１０ａを先頭側（図において右側）へ引くと、先頭パネル１０ａは直ちにランナー１２を中心に回転しながら先頭側へ移動し、ついで、矢印で示すように、先頭パネル１０ａと次の中間パネル１０ｂを連結する上蝶番１８から突出するガイドピン４０は、開口４３を経て下段レール溝４２に入る。このとき、先頭から３番目の中間パネル１０ｃの上端面に設けたランナー１２はランナーストッパ４１に当接するため、先頭パネル１０ａが鎖線で示す位置にくるまで、中間パネル１０ｃと末尾パネル１０ｄは折りたたまれたままである。そこで、先頭パネル１０ａを強く引くと、中間パネル１０ｃの上端面に設けたランナー１２はランナーストッパ４１を越え、そのランナー１２を中心に回転しながら中間パネル１０ｃは先頭側へ移動する。末尾パネル１０ｄは、上端面に設けたスライダ１１が図１のスライダストッパ３９に当たるまでの距離だけ先頭側へ移動し、そのスライダ１１を中心に回転する。このように、パネルを折りたたんだ装置は必ず先頭側のパネルから順次回転して展開する。上段レール溝３２にはレール面３１を分断する開口は存在しないから、ランナー１２の走行は常に円滑である。
【００２１】
【発明の効果】
上記のとおり、本発明の装置は、従来のパネルの折りたたみ及び展開の順序を規定することができなかったものとは異なり、展開したパネルを折りたたむとき、末尾パネルを折りたたむように回転させるガイドと、末尾側から３番目より先頭側のパネルが折りたたみ位置にくるまでは折りたたみを抑制するガイドピンを設けたから、展開したパネルは常に末尾側から順次折りたたまれ、又、折りたたんだパネルを展開するとき、先頭から３番目のランナーの展開方向への走行に対して抵抗するランナーストッパをハンガーレールに設けたから、折りたたんだパネルは常に先頭側から順次展開するという優れた効果を奏する。
【図面の簡単な説明】
【図１】は本発明の一実施例の装置の正面図、パネルを展開した状態を示す。
【図２】は図１の長蝶番の平面図、
【図３】は図１の装置の平面図、パネルを折りたたんだ状態を示す。
【図４】は図１の装置の要部拡大断面図、ランナーとランナーストッパの関係を示す。
【図５】は図４のＶ−Ｖ線に沿う断面図、
【図６】は図１の上蝶番の平面図、
【図７】は図６のガイドピンの縦断面図、
【図８】は図１の装置の要部拡大断面図、ハンガーレール端面の上ガイドと末尾パネルの上突起を示す。
【図９】は図８の上ガイドと上突起の平面図、
【図１０】は図１の装置の要部拡大断面図、ピボットのガイドと末尾パネルの関係を示す。
【図１１】は図１０のピボットの平面図、
【符号の説明】
１０：パネル、１１：スライダ、１２：ランナー、１３：横枠、１４：スペーサ、１５：固定金具、１６：凸部、１７：ジョイント、１８：上蝶番、１９：上ピン、２０：長蝶番、２１：縦枠、２３：軸受部、２４：中間体、２５：軸部、２６：パネルクッション、３０：ハンガーレール、３１：レール面、３４：固定金具、３５：下ピン、３６：ピボット、３７：長孔、４０：ガイドピン、４１：ランナーストパ、４２：レール溝、４３：開口、４４：ばね、４５：シュー、４６：コイルばね、４９：スナップリング、５０：中央孔、５２：軸、５３：頭部、５５：プレート、５６：上ガイド、５７：上突起、５８：下突起、５９：下ガイド
【図１】
0003627757.tif 000002
【図２】
0003627757.tif 000003
【図３】
0003627757.tif 000004
【図４】
0003627757.tif 000005
【図５】
0003627757.tif 000006
【図６】
0003627757.tif 000007
【図７】
0003627757.tif 000008
【図８】
0003627757.tif 000009
【図９】
0003627757.tif 000010
【図１０】
0003627757.tif 000011
【図１１】
0003627757.tif 000012